(57)【要約】      （修正有）【課題】携行時に生じる危険性を抑止できるとともに、見栄えが良く、傘を平坦面に安定して引っ掛けることができる安全かつ便利な傘用安全装置を提供する。【解決手段】安全ブレラ１０（傘用安全装置）は、傘の石突挿入孔１３を有するほぼ円筒状の本体部１１と、本体部の石突挿入孔の反対側に取り付けられたほぼ球状の緩衝部１７と、本体部の内側に取り付けられた吸水部材と、吸水部材と共に本体部の内側に取り付けられた磁性部材とから構成される。本体部の石突挿入孔に、傘の石突が挿入され、または、緩衝部の手元挿入孔１８に、傘の手元が挿入される。【選択図】図１
0003228604.tif 000002
【実用新案登録請求の範囲】
【請求項１】
傘の石突が挿入される孔が形成された本体部と、
前記本体部において前記石突が挿入される側と反対側に備えられた緩衝部と、
前記本体部の内側に備えられた吸水部材と、
前記本体部の内側に備えられた磁性部材と、を有する、
ことを特徴とする傘用安全装置。
【請求項２】
前記本体部が、前記孔が形成された底部を有する円筒状であり、
前記緩衝部が、球状であると共に、前記本体部と反対側に、前記傘の手元が挿入される孔が形成された、
ことを特徴とする請求項１に記載された傘用安全装置。
【考案の詳細な説明】
【技術分野】
【０００１】
本考案は、傘の石突等に取り付けられる傘用安全装置に関するものである。
【背景技術】
【０００２】
従来、傘は、金属製のシャフトに、放射状の親骨や受骨、下ろくろが取り付けられ、親骨に張られた小間が広げられることで、雨よけとなるものである。使用者は、雨が降る前や雨が止んだ場合、小間を畳んだ状態で携行するところ、傘の持ち方は、使用者の癖や、周囲の状況によって様々である。
【考案の概要】
【考案が解決しようとする課題】
【０００３】
シャフトの先端である石突は、尖っていることから、使用者の持ち方によっては、危険な場合がある。例えば、階段では、後行者の顔面が、先行者よりも低い位置にあることから、仮に、石突が後に向けられた状態で先行者が傘を携行していた場合、石突が後行者の顔面に当たる危険性がある。また、平坦な道であっても、子供は大人と比較して身長が低いことから、仮に、大人が傘を横に倒した状態で携行していた場合、石突が、子供の顔面に当たる危険性もある。
【０００４】
本考案は、この様な実情に鑑みて提案されたものである。すなわち、携行時に生じる危険性を抑止でき、安全かつ便利な傘用安全装置の提供を目的とする。
【課題を解決するための手段】
【０００５】
上記目的を達成するために、本考案に係る傘用安全装置は、傘の石突が挿入される孔が形成された本体部と、前記本体部において前記石突が挿入される側と反対側に備えられた緩衝部と、前記本体部の内側に備えられた吸水部材と、前記本体部の内側に備えられた磁性部材と、ことを特徴とする。
【０００６】
本考案に係る傘用安全装置は、前記本体部が、前記孔が形成された底部を有する円筒状であり、前記緩衝部が、球状であると共に、前記本体部と反対側に、前記傘の手元が挿入される孔が形成された、ことを特徴とする。
【考案の効果】
【０００７】
本考案に係る傘用安全装置は、傘の石突が挿入される孔が形成された本体部と、本体部において石突が挿入される側と反対側に備えられた緩衝部と、本体部の内側に備えられた吸水部材と、本体部の内側に備えられた磁性部材とを有している。この構成により、傘の石突が本体部で覆われるため、石突が周囲と直接接触するのを防ぐことができる。仮に、当該装置が周囲と接触しても、接触による衝撃は、緩衝部によって緩和される。さらに、使用者は、傘の手元を把持して携行するところ、仮に、使用者が傘を横に倒した状態で携行しようとした場合であっても、石突に当該装置が取り付けられたことで、傘の先端における重量が増し、自然と先端が下がる。したがって、本考案によれば、傘の携行時に生じる危険性を抑止でき、安全である。また、畳まれた小間を伝う雨滴が、孔を通じて本体部の内部に入ると、雨滴は吸水部材によって吸水される。また、金属製の石突であれば、磁性部材の磁力によって引き寄せられるため、石突が本体部から外れ難い。したがって、本考案によれば、雨滴の飛散や当該装置の脱落が抑止でき、便利である。
【０００８】
本考案に係る傘用安全装置は、本体部が、孔が形成された底部を有する円筒状であり、緩衝部が、球状であると共に、本体部と反対側に、傘の手元が挿入される孔が形成されている。すなわち、手元が球状の緩衝部に挿入された傘は、球体が識別子となり、他の傘と比較して外観が異なるため、使用者は、外観が近似した傘の中から、自身の傘を容易に見つけることができるし、他の者が、傘を取り違えるのを防ぐこともできる。また、球体は、一般的に、見る者に柔らかい印象を与えるため、手元に取り付けられる緩衝部が球体であることによって、傘の見栄えが向上する。さらに、本体部が底部を有しているため、カウンター等に底部を置くことで、傘を平坦な面に安定させて引っ掛けることができる。
【図面の簡単な説明】
【０００９】
【図１】図１は、本考案の実施形態に係る傘用安全装置が示された外観斜視図である。
【図２】図２は、本考案の実施形態に係る傘用安全装置の本体部の内部斜視図である。
【図３】図３は、本考案の実施形態に係る傘用安全装置の第一使用状態の概略図である。
【図４】図４は、本考案の実施形態に係る傘用安全装置の第二使用状態の概略図である。
【考案を実施するための形態】
【００１０】
以下に、本考案の実施形態に係る傘用安全装置（以下、「安全ブレラ」と記す。）を図面に基づいて説明する。図１は、安全ブレラ１０の全体が示され、図２は、安全ブレラ１０の内部が示されている。
【００１１】
図１及び図２に示されているとおり、安全ブレラ１０は、ほぼ円筒状の本体部１１と、この本体部１１に取り付けられたほぼ球状の緩衝部１７と、本体部１１の内側に取り付けられた吸水部材１５と、この吸水部材１５と共に本体部１１の内側に取り付けられた磁性部材１６とから構成されている。以下では、本体部１１がある方向を下方とし、緩衝部１７がある方向を上方として説明する。
【００１２】
本体部１１は、下面に円板状の底部１２が形成され、この底部１２の円周縁から立ち上がった周壁部１４が形成されている。本体部１１の上面は、開放されている。底部１２の中央には、石突挿入孔１３が形成され、この石突挿入孔１３は、樹脂製のブッシング等が取り付けられている。周壁部１４の内面は、吸水部材１５としての珪藻土が取り付けられている。吸水部材１５は、例えば、半円形、円形、多角形の板状であり、石突挿入孔１３の周囲に、ほぼ均等に配置されている。吸水部材１５の数や形状は任意である。なお、吸水部材１５は、例えば、スポンジ材や、ポリアクリル酸系の吸水ポリマー等であってもよい。但し、吸水ポリマーの場合、交換を要するため、自然乾燥により繰り返し使える珪藻土の方が簡便である。
【００１３】
磁性部材１６は、例えば、永久磁石であり、吸水部材１５に埋め込まれ、または吸水部材１５の周囲において、周壁部１４の内面に取り付けられている。磁性部材１６の数や形状は任意である。
【００１４】
緩衝部１７は、例えば、ポリウレタン等の合成スポンジや、海綿等の天然スポンジ、ゴム等である。緩衝部１７の色彩は、例えば、青色、赤色、黄色等の単色または複数から成り、任意である。また、緩衝部１７は、例えば、水玉、ストライプ、図柄等の模様が施されていてもよい。緩衝部１７の直径は、本体部１１（底部１２）の直径よりも大きく形成されている。緩衝部１７の上部の中央には、手元挿入孔１８が形成されている。緩衝部１７は、本体部１１のうち、開放された上部に取り付けられ、ボンド等の接着剤で本体部１１と接着してある。
【００１５】
以上のとおり構成された安全ブレラ１０は、次のように用いられて効果を発揮する。図３及び図４は、安全ブレラ１０の使用状態がそれぞれ示されている。
【００１６】
図３に示されているとおり、安全ブレラ１０によれば、本体部１１の石突挿入孔１３に、傘１の石突２が挿入される。この状態では、石突２が本体部１１で覆われるため、石突２が周囲と直接接触することを防ぐことができる。仮に、安全ブレラ１０が周囲と接触する場合であっても、石突２が挿入された本体部１１と反対側に、本体部１１よりも大きな緩衝部１７があるため、この緩衝部１７が周囲と接触することで、接触による衝撃が緩和される。さらに、使用者は、傘の手元３、または手元３の近傍を把持して携行するところ、石突２に安全ブレラ１０が取り付けられたことで、傘１の先端における重量が増し、自然と先端が下がる（同図中、白抜き矢印参照。）。したがって、安全ブレラ１０によれば、傘１の携行時に生じる危険性を抑止でき、安全である。また、畳まれた小間４を伝う雨滴が、石突挿入孔１３を通じて本体部１１の内部に入ると、雨滴は吸水部材１５によって吸水される。また、金属製の石突２であれば、磁性部材１６の磁力によって引き寄せられるため、石突２が本体部１１から外れ難い。したがって、安全ブレラ１０によれば、雨滴の飛散や傘１からの脱落が抑止でき、便利である。
【００１７】
図４に示されているとおり、安全ブレラ１０によれば、緩衝部１７の手元挿入孔１８に、傘１の手元３が挿入され、緩衝部１７と反対側の本体部１１に形成された底部１２が平坦面に載置される。したがって、カウンター５等に底部１２を置くことで、傘１を平坦な面に安定させて引っ掛けることができる。また、手元３に安全ブレラ１０を取り付けておけば、使用者は、傘１と別に安全ブレラ１０を敢えて携行する必要がなく、安全ブレラ１０を家や外に置き忘れることが抑止される。また、手元３が、球状の緩衝部１７に挿入された傘１は、球体が識別子となり、他の傘と比較して外観が異なるため、使用者は、外観が近似した傘の中から、自身の傘１を容易に見つけることができるし、他の者が、傘１を取り違えることを防ぐこともできる。また、球体は、一般的に、見る者に柔らかい印象を与えるため、球体の緩衝部１７が手元３に取り付けられることによって、傘１の見栄えが向上する。特に、緩衝部１７の色彩が個性を発揮するため、識別子としての機能や意匠としての魅力が高い。
【００１８】
以上、本考案の実施形態を詳述したが、本考案は上記実施形態に限定されるものではない。そして本考案は、実用新案登録請求の範囲に記載された事項を逸脱することがなければ、種々の設計変更を行うことが可能である。
【符号の説明】
【００１９】
１    傘
２    石突
３    手元
４    小間
５    カウンター
１０  安全ブレラ（傘用安全装置）
１１  本体部
１２  底部
１３  石突挿入孔
１４  周壁部
１５  吸水部材
１６  磁性部材
１７  緩衝部
１８  手元挿入孔
【図１】
0003228604.tif 000003
【図２】
0003228604.tif 000004
【図３】
0003228604.tif 000005
【図４】
0003228604.tif 000006